(57)【要約】【課題】設計の自由度を高めて、パネル強度や遮音性能の調整が可能であると共に、施工が簡単でしかも床面レベルを低く抑えることができるスラブパネル及び床構造を提供する。【解決手段】スラブパネルは、コンクリート基材２に補強部材３を埋設したものである。コンクリート基材端下部に切欠部１２を形成して側方へ張り出す張出部１３を設ける。張出部１３の下面１４を補強受片２３にて受けて、床梁１５上に設置される設置部１７を形成する。補強受片２３と補強部材３とを溶接にて一体固定する。設置部１３を弾性支持部材２６を介して床梁１５上に配置する。【選択図】図１
2006348586.tif 000002
【特許請求の範囲】
【請求項１】
コンクリート基材（２）に補強部材（３）を埋設したスラブパネルであって、コンクリート基材端下部に切欠部（１２）を形成して側方へ張り出す張出部（１３）を設け、この張出部（１３）の下面（１４）を補強受片（２３）にて受けて、床梁（１５）上に設置される設置部（１７）を形成し、上記補強受片（２３）と上記補強部材（３）とを一体固定したことを特徴とするスラブパネル。
【請求項２】
上記補強部材（３）は、上記コンクリート基材（２）内に埋設される複数の鉄筋（４ａ）の組合体（５）を備えたことを特徴とする請求項１のスラブパネル。
【請求項３】
上記補強部材（３）は、その一部が上記コンクリート基材（２）の下面（２ｂ）から突出する形鋼（６）を備えたことを特徴とする請求項１のスラブパネル。
【請求項４】
上記補強部材（３）は、その一部が上記コンクリート基材（２）の下面（２ｂ）から突出する形鋼（６）と、この形鋼（６）と接合されて上記コンクリート基材（２）内に埋設される複数の棒鋼（４）の組合体（５）とからなることを特徴とする請求項１のスラブパネル。
【請求項５】
上記切欠部（１２）は水平面状切欠面（１８）と鉛直面状切欠面（１８）とを有し、上記補強受片（２３）が、上記水平面状切欠面（１８）に対応する水平片（２０）と、上記鉛直面状切欠面（１９）に対応する鉛直片（２１）とからなるＬ形アングル材にて構成したことを特徴とする請求項１〜請求項４のいずれかのスラブパネル。
【請求項６】
上記補強受片（２３）は平板材からなると共に、この補強受片（２３）を上記補強部材（３）の組合体（５）に固定したことを特徴とする請求項２又は請求項４のスラブパネル。
【請求項７】
上記補強受片（２３）は平板材からなると共に、上記形鋼（６）が、その一対のフランジ（８）（８）がコンクリート基材（２）に埋設されるハット形鋼からなり、そのハット形鋼における一対のフランジ（８）（８）に上記補強受片（２３）を固定したことを特徴とする請求項３又は請求項４のスラブパネル。
【請求項８】
Ｌ形アングル材からなる補強受片（２３）の水平片（２０）を、上記補強部材（３）の組合体（５）に固定することを特徴とする請求項５のスラブパネル。
【請求項９】
Ｌ形アングル材からなる補強受片（２３）の鉛直片（２１）を、補強部材（３）の形鋼（６）に固定することを特徴とする請求項５のスラブパネル。
【請求項１０】
上記補強受片（２３）（２３）と補強部材（３）の形鋼（６）（６）とで矩形枠体（２４）を構成することを特徴とする請求項３〜請求項９のいずれかのスラブパネル。
【請求項１１】
上記補強受片（２３）と補強部材（３）とを溶接にて固定することを特徴とする請求項１〜請求項１０のいずれかのスラブパネル。
【請求項１２】
上記請求項１〜請求項１１のいずれかのスラブパネル（１）の設置部（１７）を、弾性支持部材（２６）を介して床梁（１５）上に配置することを特徴とする床構造。
【発明の詳細な説明】
【技術分野】
【０００１】
この発明は、例えば床材として利用可能なスラブパネル及び床構造に関するものである。
【背景技術】
【０００２】
床構造には、プレキャストコンクリートパネルと場所打ちコンクリートとを併用して用いて合成スラブを構成する場合と、ＡＬＣ（軽量発泡コンクリート）パネルや穴あきプレキャスト板を用いて、直接、梁（床梁）に直置きする場合がある。
【０００３】
上記合成スラブを用いる場合では、自由な設計をできる半面、柱、梁との接合手間、パネルとコンクリートの一体性が失われやすい欠点があり、さらに、コンクリートの養生期間を必要として工期が長くなる等の欠点がある。また、直置きする場合では、施工は容易であるが、梁の上に直置きするため、パネル強度及び遮音性能を確保しようとすれば、厚さを薄くすることができず、床面レベルが高くなって室内空間を狭くするという欠点を有していた。
【０００４】
そこで、近年では、床面レベルを低く抑えながら、床材と床梁との間に弾性支持部材を介在させて、遮音性能を高めるようにした床構造が提案されている（例えば、特許文献１参照）。この床構造は、図１３に示すように、矩形平板材の複数のＡＬＣパネル８１・・を、それらの長辺側端面同士が接し合うようにして並列状に配置し、連結部材８２で連結して組み付けている。すなわち、各パネル８１の短辺側の端面と裏面とが交わる隅部には、切欠部（座ぐり部）８３を設け、この切欠部８３に上記連結部材８２を嵌合させている。この場合、連結部材８２はアングル材（Ｌ形アングル材）からなり、その水平片部８２ａが座ぐり部８３の底面（切欠部の水平面状切欠面）８５に当接し、その鉛直片部８２ｂがパネル８１の端面８６に当接する。そして、水平片部８２ａと底面８５と、鉛直片部８２ｂと端面８６とはそれぞれ接着される。
【０００５】
このため、パネル８１の短辺側に、弾性支持部材８７が収まる収納部８８が形成され、この収納部８８に配置された弾性支持部材８７を介して床梁８９上に配置される。これによって、床面レベルを抑えながら、遮音性能を高めている。
【特許文献１】特開２００４−３２８３号公報
【発明の開示】
【発明が解決しようとする課題】
【０００６】
すなわち、上記のような従来の床構造では、パネル８１の端部に側方に突出する薄肉の突出部（張出部）が形成され、この薄肉の張出部に荷重が掛る。また、連結部材８２は単にパネル８１に接着されるのみであって、張出部の補強材を構成するものではない。このため、この張出部に作用する荷重によって、張出部の根元部においてせん断破壊が生じてクラックが発生するおそれがあり、耐久性に劣っていた。
【０００７】
この発明は、上記従来の欠点を解決するためになされたものであって、その目的は、設計の自由度を高めて、パネル強度や遮音性能の調整が可能であると共に、施工が簡単でしかも床面レベルを低く抑えることができるスラブパネル及び床構造を提供することにある。
【課題を解決するための手段】
【０００８】
上記の課題を解決するために、この発明のスラブパネルは、コンクリート基材２に補強部材３を埋設したスラブパネルであって、コンクリート基材端下部に切欠部１２を形成して側方へ張り出す張出部１３を設け、この張出部１３の下面１４を補強受片２３にて受けて、床梁１５上に設置される設置部１７を形成し、上記補強受片２３と上記補強部材３とを一体固定したことを特徴としている。
【０００９】
上記補強部材３は、上記コンクリート基材２内に埋設される複数の鉄筋４ａの組合体５を備えたものであったり、その一部が上記コンクリート基材２の下面２ｂから突出する形鋼６を備えたものであったりする。また、上記補強部材３は、その一部が上記コンクリート基材２の下面２ｂから突出する形鋼６と、この形鋼４と接合されて上記コンクリート基材２内に埋設される複数の棒鋼４の組合体５とからなるものであってもよい。
【００１０】
また、上記切欠部１２は水平面状切欠面１８と鉛直面状切欠面１９とを有し、上記補強受片２３が、上記水平面状切欠面１８に対応する水平片２０と、上記鉛直面状切欠面１９に対応する鉛直片２１とからなるＬ形アングル材にて構成している。
【００１１】
さらに、上記補強受片２３は平板材からなると共に、この平板材を上記補強部材３の組合体５に補強受片２３を固定している。
【００１２】
また、上記補強受片２３は平板材からなると共に、上記形鋼が、その一対のフランジ８、８がコンクリート基材２に埋設されるハット形鋼から構成することができ、この際、そのハット形鋼の一対のフランジ８、８に補強受片２３を固定している。さらに、補強受片２３がＬ形アングル材からなる場合、補強受片２３の水平片２０を補強部材３の組合体５に固定し、補強受片２３の鉛直片２１を補強部材３の形鋼６に固定している。
【００１３】
上記補強受片２３、２３と補強部材３の形鋼６、６とで矩形枠体２４を構成している。
【００１４】
さらに、上記補強受片２３と補強部材３とを溶接にて固定している。
【００１５】
この発明の床構造は、上記スラブパネル１の設置部１７を、弾性支持部材２６を介して床梁１５上に配置することを特徴としている。
【発明の効果】
【００１６】
この発明のスラブパネルにおいては、コンクリート基材に鉄筋や形鋼等の補強部材を埋設しているので、この補強部材の強度等を適宜調整することで、設計の自由度を高めて、剛性や遮音性能等の調整を可能としている。しかも、プレキャストが可能であり、現場における施工の容易化を図ることができる。また、このスラブパネルにおいては、コンクリート基材内の補強部材と一体固定される補強受片にて張出部の下面を受けて、床梁上に設置される設置部を形成したので、この設置部を床梁に直接もしくは弾性支持部材等を介して配置することにより、床面レベルを低く抑えることができる。その上、設置部は強度的に優れ、長期にわたってクラック等が発生せず安定して使用することできる。
【００１７】
上記補強部材は、上記コンクリート基材内に埋設される複数の鉄筋の組合体を備えることによって、製造しやすくコスト低減を図ってスラブパネル全体の強度向上を図ることができる。
【００１８】
さらに、補強部材として、コンクリート基材から一部を突出させた形鋼を用いることで、その形鋼突出側におけるクラックの発生を抑えることができ、曲げ剛性や重量の調整が容易になって遮音性能等の改善を図ることができる。特に、ハット形鋼を使用することにより、この形鋼の形状により、パネルの強度、重量、合成を自由に設計でき、補強受片の固定位置（例えば、溶接位置）（床梁上からのパネル厚み）を設計者の意図するように決定できる。
【００１９】
また、補強受片が、上記水平面状切欠面に対応する水平片と、上記鉛直面状切欠面に対応する鉛直片とからなるＬ形アングル材であれば、設置部の強度の安定化を図ることができる。さらに、補強受片は平板材からなると共に、この平板材を補強部材の組合体に固定することにより、設置部の強度を安定したものとすることができる。
【００２０】
ハット形鋼におけるフランジと平板材の補強受片とを固定することにより、その固定作業の簡素化を図ることができ、しかも、強固に固定することができ、強度的に優れたスラブパネルとなる。
【００２１】
補強受片がＬ形アングル材からなる場合、補強受片の水平片を補強部材の組合体に固定し、又は補強受片の鉛直片を補強部材の形鋼に固定しているので、補強受片と補強部材との固定を確実に行うことができる。
【００２２】
補強受片と補強部材の形鋼とで矩形枠体を構成するので、この矩形枠体の剛性が大であり、このスラブパネルの強度を極めて優れたものとすることができる。
【００２３】
補強受片と補強部材とを溶接にて固定するので、この固定状態が安定するともに、固定作業の短時間化を図ることができる。
【００２４】
この発明の床構造においては、設置部を弾性支持部材を介して床梁上に配置するので、弾性支持部材を配置しても床梁からの高さ寸法が大とならず、このスラブパネルを使用した床構造のコンパクト化を図ることができ、しかも、この弾性支持部材にて床衝撃音を低減でき、高品質となる。すなわち、切欠部のスペースを有効に用いて床衝撃音を低減する弾性支持部材を自由に配置することができる。
【発明を実施するための最良の形態】
【００２５】
次に、この発明のスラブパネル及び床構造の具体的な実施の形態について、図面を参照しつつ詳細に説明する。図１はスラブパネルの断面図であり、図２は斜視図である。このスラブパネル１は、主として建物上層階の床材として用いられるもので、コンクリート基材２に補強部材３が埋設されている。このコンクリート基材２は、例えば、長さ（長辺）約２０００ｍｍ、幅（短辺）約５００ｍｍ、厚さ５０〜１００ｍｍの方形状に形成されており、その気乾比重が例えば１．１〜２．０となっている。なお、コンクリート基材２の大きさや形状、気乾比重は、これに限定されるものではなく、各種状況に応じて適宜変更可能である。
【００２６】
補強部材３は、複数の棒鋼４を格子状に溶接を介して一体化した組合体５と、この組合体５に溶接にて一体化される一対の形鋼６、６とからなる。この場合、組合体５がコンクリート基材２のほぼ全体にわたって配置されて、コンクリート基材２内に埋設されることになる。すなわち、組合体５の長辺をコンクリート基材２の長辺よりも僅かに短く設定すると共に、組合体５の短辺をコンクリート基材２の短辺よりも僅かに短く設定する。また、棒鋼４は、後述する鉄筋４ａ（径が６ｍｍ〜３２ｍｍ程度の棒鋼であって、丸鋼、異形棒鋼を含む）よりも細径、例えば径が３ｍｍ程度のものであって、メッシュ鉄筋（メッシュ筋）４ｂである。
【００２７】
この場合の形鋼６は、図３に示すように、断面略Ｕの字状の本体部７と、この本体部７の開口端から外側方へ突設されるフランジ８、８とからなるハット形鋼である。なお、本体部７は、相互に平行な一対の側片９、９と、この側片９、９の連結する底片（連結片）１０とからなる。そして、形鋼６、６はコンクリート基材２の長手方向に沿って所定間隔に配置される。
【００２８】
そして、組合体５の下面側に、一対の形鋼６、６のフランジ８、８が溶接されて、形鋼６、６の開口部が上向きとなって、本体部７、７の下部がコンクリート基材２の下面２ｂから突出する。この場合、形鋼６、６は、コンクリート基材２の長手方向に略全長にわたって配置され、その本体部７の一部（下部）がコンクリート基材２の下面２ｂから突出するようになっている。
【００２９】
ところで、補強部材３は、コンクリート基材２の上下方向（厚さ方向）中央よりも僅かに下面側、つまり中立軸よりも下側に配置するのが好ましい。すなわち、コンクリートは、圧縮に強いが引っ張りに弱いといった特性を持ち、これに対して鋼材は、引っ張りに強いが圧縮に弱いといった特性を持つ。このため、曲げ荷重のかかるパネルの製造に際しては、パネルの圧縮側すなわち上面側にコンクリートを配置し、パネルの引っ張り側すなわち下面側に鋼材を配置するのが、強度上好ましいからである。
【００３０】
そして、このコンクリート基材２では、図１と図２に示すように、コンクリート基材端下部に切欠部１２を形成して側方へ張り出す張出部１３を設け、この張出部１３の下面１４を補強受片２３にて受けて、床梁１５（図６及び図７参照）上に設置される設置部１７を形成している。この場合の切欠部１２は、コンクリート基材２の短辺側の端面下部を、この短辺全体にわって断面矩形状に切り欠くことによって形成する。このため、水平面状切欠面１８と鉛直面状切欠面１９が形成される。
【００３１】
補強受片２３は、上記水平面状切欠面１８（張出部１３の下面１４）に対応する水平片２０と、上記鉛直面状切欠面１９に対応する鉛直片２１とからなるＬ形アングル材にて構成している。この場合、上記形鋼６、６の端面６ａ、６ａが、鉛直面状切欠面１９と略同一面上に配置され、この端面６ａ、６ａに補強受片２３の鉛直片２１が溶接にて固定される。すなわち、補強受片２３と補強部材３とが一体固定される。また、水平面状切欠面１８に対応する棒鋼４（メッシュ鉄筋４ｂ）に、溶接にて補強受片２３の水平片２０に固定される。このため、各スラブパネル１には、一対の形鋼６、６と、一対の補強受片２３、２３とを備え、図４に示すように、これらによって矩形枠体２４が構成される。
【００３２】
また、コンクリート基材２の上面２ａの４つのコーナ部には、切欠部２２・・が形成されている。この切欠部２２は、このスラブパネル１・・を床梁１５に固定するための押付部材２５（図５参照）を装着するためのものである。このため、切欠部２２の側壁２２ａは上方に向かって順次拡大する傾斜面（テーパ面）となっている。
【００３３】
そして、上記のように構成された複数枚のスラブパネル１・・は、その設置部１７が床梁１５に、図６や図７に示すように弾性支持部材２６等を介して設置固定される。図６に示すに弾性支持部材２６は液封マウント２７からなり、図７に示すに弾性支持部材２６は防振ゴム材２８からなる。
【００３４】
この液封マウント２７は、外装ケース３０内に、ゴム弾性体と、粘性流体を封入した複数の液室と、これら液室を連通するオリフィス通路とが設けられている。そして、この液封マウント２７においては、スラブパネル１に衝撃が加わると、ゴム弾性体が圧縮変形して床衝撃音を低減するようになっている。しかも、床パネル１に歩行振動が加わると、ゴム弾性体の圧縮変形により各液室の体積が変化することで、粘性液体がオリフィス通路を通って両液室間を移動し、そのときに生じる粘性液体の反力によって歩行振動を減衰するようになっている。すなわち、ゴム弾性体、液室及びオリフィス通路から構成される減衰機構によって、歩行振動を抑制するようになっている。
【００３５】
液封マウント２７は、高さを低く抑えた略短円柱状に形成されており、その平面から見た横幅が、床梁１５の上フランジ２９上面の短手方向の横幅と略同じか若しくは若干長くなっている。液封マウント２７の上面側には、上方へ向けて突出する固定ボルト３４が取付けられ、下面側には、下方へ向けて突出する一対の脚ボルト３５、３５が取付けられている。
【００３６】
また、床梁１５の上フランジ２９にはボルト貫通孔（図示省略）が設けられ、このボルト貫通孔に液封マウント２７の脚ボルト３５、３５が上方から挿通されてその突出した脚ボルト３５、３５にナット部材３６、３６が螺着される。これによって、液封マウント２７を床梁１５の上フランジ２９に取付けることができる。そして、４枚のスラブパネル１・・の設置部１７・・間、つまり４枚のスラブパネル１・・の対応するコーナ部（このコーナ部が床梁１５に対応する）間の隙間３７に固定ボルト３４を立設させる。そして、対応する４枚のスラブパネル１・・の切欠部２２・・にて、上記押付部材２５が嵌合する凹部３８を形成する。なお、スラブパネル１・・の各端面１ａ、１ａ、１ｂ、１ｂ（図５参照）は、下端から上端に向かって順次内方へ向かう傾斜面となっている。このため、隙間３７は上方に向かって拡大している。ところで、液封マウント２７上には、スラブパネル１の端部を受ける床受部材４３が、床梁１５に沿って配置されている。すなわち、スラブパネル１の設置部１７は液封マウント２７及び床受部材４３を介して床梁１５に設置される。この場合の床受部材４３は、長手方向に曲げ剛性を高めた形鋼、具体的には溝部が下向きに開口する溝形鋼からなる。また、床受部材４３には、液封マウント２７の対応部位に固定ボルト３４が挿通される貫通孔が設けられる。
【００３７】
そして、液封マウント２７の固定ボルト３４は、上記隙間３７に立設されて上記凹部３８に突入することになって、この突出部に押付部材２５が装着される。すなわち、押付部材２５は、この凹部３８に収納される当接プレート４０と、固定ボルト３４に螺合するナット部材４１とを備える。当接プレート４０には固定ボルト３４が挿通される挿通孔４２が設けられ、この挿通孔４２を介して上方へ突出した固定ボルト３４のネジ部にナット部材４１を螺着させることになる。従って、この押圧部材２５によって、スラブパネル１が下方へ押え付けられて、スラブパネル１のコーナ部が液封マウント２７を介して床梁１５に固定される。
【００３８】
また、防振ゴム材２８は、図７に示すように、複数枚（図例では３枚）の金属板３１・・と、この金属板３１、３１間に介在される複数のゴム板３２、３２とを備える。この場合、平面視略長方形状に形成されていて、その高さは液封マウント２７よりも低く抑えられている。そして、防振ゴム材２８の平面から見た短手方向の横幅すなわち短辺の長さが、床梁１５の上フランジ２９のパネル側突出片２９ａと略同一とされる。さらに、この防振ゴム材２８にも、一対の脚ボルト４５、４５が垂下されると共に、一本の固定ボルト４６が立設されている。
【００３９】
さらに、防振ゴム材２８を取付ける床梁１５は、スラブパネル１の壁際部位に沿って配置されていて、その上フランジ２９には外壁の軸組４７や柱等の他部材も取付けられている。すなわち、軸組４７は、上フランジ２９に反パネル側突出片２９ｂにボルト部材とナット部材とからなる固定具４８を介して、固定される。
【００４０】
そして、防振ゴム材２８は、床梁１５の上フランジ２９のパネル側突出部２９ａ上に配置される土台スペーサ４９を介して取付けられる。すなわち、土台スペーサ４９上に、防振ゴム材２８をその脚ボルト４５、４５が上フランジ２９のパネル側突出部２９ａから下方へ突出するように配置し、脚ボルト４５、４５の突出部にナット部材５０を螺着する。これによって、防振ゴム材２８は上フランジ２９のパネル側突出部２９ａに取付けることができる。
【００４１】
また、この防振ゴム材２８上には、スラブパネル１の端部を受ける外周床受部材４４が床梁１５の長手方向に沿って配設されている。この外周床受部材４４は断面Ｌ字状の形鋼からなる。そして、上フランジ２９のパネル側突出部２９ａに取付けられた防振ゴム材２８の固定ボルト４６が、隣合うスラブパネル１の設置部１７、１７間に突入し、この突入した固定ボルト４６の先端部に、上記押付部材２５と同様の押付部材５２が装着される。また、外周床受部材４４には、防振ゴム材２８の対応部位に固定ボルト４５が挿通される貫通孔が設けられる。
【００４２】
そして、上記押付部材５２は、切欠部２２に収納される当接プレート５３と、固定ボルト４６の先端部に螺着されるナット部材５４とからなる。当接プレート５３には固定ボルト４６が挿通される挿通孔５５が設けられ、この挿通孔５５を介して上方へ突出した固定ボルト４６の先端部にナット部材５４を螺着させることになる。従って、この押圧部材５２によって、スラブパネル１が下方へ押え付けられて、スラブパネル１のコーナ部が防振ゴム２８を介して床梁１５に固定される。なお、防振ゴム材２８は、液封マウント２７を取付けた床梁１５の両端部にも取付けられる。
【００４３】
このように、複数のスラブパネル１・・が複数本の床梁１５・・上にその設置部１７が、弾性支持部材２６を介して配置され、床材Ｓが形成される。そして、このように配置されてなる床材Ｓ上には、パーティクルボード５７やフロア材が敷設される。このように構成された床構造では、パーティクルボード５７上等に物が落下したときや子供が飛び跳ねたとき等には、液封マウント２７・・のゴム弾性体及び防振ゴム材２８・・が弾性変形して、床材Ｓから床梁１５へ伝搬する床衝撃音を低減することができる。
【００４４】
上記スラブパネルでは、コンクリート基材２に形鋼６等の補強部材３を埋設しているので、この補強部材３の強度等を適宜調整することで、設計の自由度を高めて、剛性や遮音性能等の調整を可能としている。しかも、プレキャストが可能であり、現場における施工の容易化を図ることができる。また、このスラブパネルにおいては、張出部１３の下面１４を、コンクリート基材２内の補強部材３と一体固定される補強受片２３にて受けて、床梁１６上に設置される設置部１７を形成したので、この設置部１７を床梁１５に直接もしくは弾性支持部材２６等を介して配置することにより、床面レベルを低く抑えることができる。その上、設置部１７は強度的に優れ、長期にわたってクラック等が発生せず安定して使用することできる。また、上記設置部１７を、弾性支持部材２６を介して床梁１５上に配置するので、弾性支持部材２６を配置しても床梁１５からの高さ寸法が大とならず、このスラブパネルを使用した床構造のコンパクト化を図ることができ、しかも、この弾性支持部材２６にて床衝撃音を低減でき、高品質となる。すなわち、切欠部のスペースを有効に用いて床衝撃音を軽減（低減）する弾性支持部材を自由に配置することができる。
【００４５】
さらに、形鋼６を使用することにより、この形鋼６の形状により、パネルの強度、重量、合成を自由に設計でき、補強受片２３の固定位置（例えば、溶接位置）（床梁状からのパネル厚み）を設計者の意図するように決定できる。また、補強部材３として、コンクリート基材２から一部を突出させた形鋼６を用いているので、その形鋼突出側におけるクラックの発生を抑えることができ、曲げ剛性や重量の調整が容易になって遮音性能等の改善を図ることができる。また、補強受片２３、２３と補強部材３の形鋼６、６とで矩形枠体２４を構成するので、このスラブパネルの強度を極めて優れたものとすることができる。さらに、補強受片２３が、水平面状切欠面１８に対応する水平片２０と、鉛直面状切欠面１９に対応する鉛直片２１とからなるＬ形アングル材であるので、設置部１７の強度の安定化を図ることができる。しかも、補強受片２３と補強部材３とを溶接にて固定するので、この固定状態が安定するともに、固定作業の短時間化を図ることができる。
【００４６】
図８と図９は他の実施の形態を示し、この場合、補強受片２３を平板材にて構成している。すなわち、コンクリート基材２の張出部１３の下面をこの補強受片２３にて受けると共に、補強受片２３の内端部６０をコンクリート基材２内に突入させている。そして、その内端部６０を補強部材３の形鋼６のフランジ８、８上に設置させると共に、溶接にてこの内端部６０とフランジ８、８とを一体固定するようにしている。このため、補強部材３の棒鋼からなる組合体５において、内端部６０に対応する部位を省略している。なお、このパネル１において、他の構成は、上記図１等に示したパネル１と同様であり、それらの構成については上記図１等と同一符号を付してその説明を省略する。また、このスラブパネル１においても、床梁１５に設置する際には図６に示す床受部材４３や図７に示す外周床受部材４４を使用する。
【００４７】
したがって、このような図８と図９に示すスラブパネルであっても、上記図１等に示すスラブパネルと同様の作用効果を発揮することができ、さらに、ハット形鋼における一対のフランジ８、８と平板材の補強受片２３との固定することになるので、その固定作業の簡素化を図ることができ、しかも、強固に固定することができ、強度的に優れたスラブパネルとなる。
【００４８】
次に図１０は、形鋼６の変形例を示し、この形鋼６は、断面Ｕ字状の本体部６１と、この本体部６１の開口端から内方へ突設させて一対の内鍔部６２、６２とからなるＣ形鋼にて構成している。この場合も、内鍔部６２、６２側がコンクリート基材２に埋設され、本体部６１の下端部６１ａがコンクリート基材２の下面２ｂから突出している。
【００４９】
そして、Ｃ形鋼を使用したものにおいて、補強受片２３が図１等に示すようなＬ形アングル材であれば、この補強受片２３の鉛直片２１が形鋼６の端面に溶接にて固定される。また、補強受片２３が図８と図９に示すように平板材であれば、内鍔部６２、６２にこの補強受片２３を設置した状態で溶接にて固定される。
【００５０】
次に図１１と図１２は別の実施の形態を示し、この場合、補強部材３を、複数本の棒鋼４・・からなる組合体５のみでもって構成している。そして、使用する棒鋼４は、径が６ｍｍ〜３２ｍｍ程度の丸鋼の鉄筋４ａである。さらに、補強受片２３を平板材にて構成し、その内端部６０をコンクリート基材２内に突入させている。このため、補強部材３の組合体５を、張出部１３まで延ばし、この延設部６３と補強受片２３の内端部６０とを溶接にて固定することになる。なお、鉄筋４ａには異形棒鋼も含む。
【００５１】
この図１１と図１２に示すパネル１では、形鋼６を有しないが組合体５の棒鋼４が鉄筋４ａであるので、補強部材３として強度的に優れ、しかも、補強部材３に補強受片６が固定されるので、設置部１７としての強度も優れる。なお、補強部材３が棒鋼４（鉄筋４ａ）の組合体５のみであっても、コンクリート基材２の上下方向（厚さ方向）中央よりも僅かに下面側、つまり中立軸よりも下側に配置するのが好ましい。このように、補強部材３が、コンクリート基材内に埋設される複数の棒鋼４の組合体５のみからなれば、製造しやすくコスト低減を図ってスラブパネル全体の強度向上を図ることができる。特に、棒鋼４は鉄筋４ａであるので、強度的に優れる。
【００５２】
以上にこの発明の具体的な実施の形態について説明したが、この発明は上記形態に限定されるものではなく、この発明の範囲内で種々変更して実施することができる。例えば、図１や図９等に示すパネル１において、補強部材３の組合体５を構成する棒鋼４は、鉄筋４ａよりも細径のメッシュ筋４ｂを使用したが、これらの場合であっても、鉄筋４ａを使用してもよい。このように、形鋼６と鉄筋４ａとを使用したものでは、パネルとしての強度が一層優れたものとなる。なお、メッシュ筋４ｂを使用すれば、この組合体５自体は強度的に劣り、この組合体５に補強受片２３を固定しても、設置部１７の強度向上にはあまり寄与しないが、組合体５に補強受片２３を固定したことによって、パネルの製造工程が安定する。すなわち、各パネルは、形枠内に補強部材３をセットし、この状態でコンクリートを打設することになる。このため、組合体５と補強受片２３とが固定されていれば、組合体５の端部が浮き上がらない利点があるからである。
【００５３】
さらに、コンクリート基材２として、上記各実施の形態では、コンクリートを使用したが、ＡＬＣ（軽量発泡コンクリート）を使用してもよい。また、上記各実施の形態では、弾性支持部材２６を介して床梁１５に設置部１７を設置固定していたが、このような弾性支持部材２６を介しないものであってもよい。さらに、弾性支持部材２６として、液封マウント２７や防振ゴム材２８以外のものであってもよい。また、このスラブパネル１・・を設置する場合、図６に示すような床受部材４３を省略したり、図７に示す外周床受部材４４を省略したりしてもよい。さらに、補強部材３の形鋼６がハット形鋼のように、フランジ８を有するものであって、このフランジ８に補強受片２３を固定するものであれば、溶接以外の固定手段、例えばボルト・ナット結合等を使用することができる。さらに、補強部材３として形鋼６のみであってもよく、一つのパネルに対する形鋼６の数も任意であり、また、棒鋼４の数、配設ピッチ等も任意に設定することができる。また、床梁１５にパネルを押え付けるための押付部材２５が嵌合する切欠部２２の位置として、コーナ部に限るものではなく、短辺側の中間部や長辺側の中間部等であってもよい。また、上記各実施形態では、固定ボルト３４、４５等を挿入するために、各対向するパネル間に隙間が形成されているが、このような隙間を無くして相対面するパネルを突き合わせることもできる。この場合、切欠部２２に上下方向溝を設け、この上下方向溝に固定ボルト３４、４５等が嵌合させればよい。
【図面の簡単な説明】
【００５４】
【図１】この発明のスラブパネルの実施形態を示す要部断面図である。
【図２】上記スラブパネルの斜視図である。
【図３】図２のＡ−Ａ線断面図である。
【図４】上記スラブパネルの底面図である。
【図５】上記スラブパネルにて構成する床材の斜視図である。
【図６】上記スラブパネルの床梁への取付状態の要部拡大断面図である。
【図７】上記スラブパネルの床梁への取付状態の他の部位の拡大面図である。
【図８】この発明のスラブパネルの他の実施形態を示す斜視図である。
【図９】上記スラブパネルの断面図である。
【図１０】形鋼の変形例を示す断面図である。
【図１１】この発明のスラブパネルの別の実施形態を示す斜視図である。
【図１２】上記スラブパネルの断面図である。
【図１３】従来のスラブパネルの要部斜視図である。
【符号の説明】
【００５５】
２・・コンクリート基材、２ｂ・・下面、３・・補強部材、４・・棒鋼、４ａ・・鉄筋、５・・組合体、６・・形鋼、８・・フランジ、１２・・切欠部、１３・・張出部、１４・・下面、１５・・床梁、１７・・設置部、１８・・水平面状切欠面、１９・・鉛直面状切欠面、２０・・水平片、２１・・鉛直片、２３・・補強受片、２４・・矩形枠体
【図１】
2006348586.tif 000003
【図２】
2006348586.tif 000004
【図３】
2006348586.tif 000005
【図４】
2006348586.tif 000006
【図５】
2006348586.tif 000007
【図６】
2006348586.tif 000008
【図７】
2006348586.tif 000009
【図８】
2006348586.tif 000010
【図９】
2006348586.tif 000011
【図１０】
2006348586.tif 000012
【図１１】
2006348586.tif 000013
【図１２】
2006348586.tif 000014
【図１３】
2006348586.tif 000015